(57)【特許請求の範囲】
【請求項１】
杖本体を含み、前記杖本体はホルダー、支持杆、握杆および脇あてを含み、前記脇あて、
ホルダーおよび支持杆が上から順次に固定接続され、前記握杆がホルダーの内端に回動可
能に接続されており、
前記ホルダーの内側にアームスリーブが設けられ、且つアームスリーブが握杆の上側に位
置され、前記アームスリーブおよび杖本体の間に接続手段が接続され、前記杖本体の両外
側壁に位置決め穴が均一に開設されており、前記アームスリーブの傾斜角度は前記接続手
段と位置決め穴の嵌合によって調節可能であり、前記アームスリーブが取外可能に独立し
て設置されており、
前記接続手段は端末接続ユニットおよび中部接続ユニットを含み、前記端末接続ユニット
の一端が杖本体に接続され、その他端が中部接続ユニットによってアームスリーブの端末
に取外可能に接続されており、前記アームスリーブの中部は他の中部接続ユニットによっ
て杖本体に取外可能に接続されていることを特徴とする腋窩支持クラッチ。
【請求項２】
前記アームスリーブは筒体、リングおよび一対の位置決めブロックを含み、前記リングが
筒体の外端における中部寄りの位置に外套され、一対の位置決めブロックがそれぞれ筒体
の端末およびリングに固定接続されていることを特徴とする請求項１に記載の腋窩支持ク
ラッチ。
【請求項３】
前記筒体の前端に複数個の放熱穴が設けられていることを特徴とする請求項２に記載の腋
窩支持クラッチ。
【請求項４】
前記筒体の端末に複数個の補強リブが固定的に配置されていることを特徴とする請求項２
に記載の腋窩支持クラッチ。
【請求項５】
前記端末接続ユニットは杖本体の側壁に固定接続される一対の第１接続杆を含み、前記ア
ームスリーブが一対の第１接続杆の間に位置され、且つ第１接続杆が伸縮可能であり、前
記第１接続杆の杖本体と反対側の一端が中部接続ユニットによってアームスリーブの端末
に取外可能に接続されていることを特徴とする請求項１に記載の腋窩支持クラッチ。
【請求項６】
前記端末接続ユニットは一対の第２接続杆、一対の挿杆、一対のリニア軸受、第１圧縮ば
ね、一対の限位柱および外筒を含み、前記挿杆が位置決め穴内に挿設可能であり、
前記第２接続杆の一端が中部接続ユニットによってアームスリーブの端末に取外可能に接
続され、その他端が挿杆の外端に套接されており、
前記リニア軸受が第２接続杆に取付けられ、且つ前記一対の第２接続杆の間に位置されて
おり、前記挿杆がリニア軸受内側に挿設されており、
前記第１圧縮ばねが一対の挿杆の間に固定接続されており、
前記限位柱が挿杆に固定接続され、且つ第１圧縮ばね寄りに位置決めされており、
前記外筒が一対の挿杆の外側に套接され、且つ一対のリニア軸受の間に位置され、外筒の
上端に欠け溝が開設され、一対の限位柱がともに欠け溝内に挿設されていることを特徴と
する請求項１に記載の腋窩支持クラッチ。
【請求項７】
前記中部接続ユニットは凹溝、磁気ブロック、第２圧縮ばね、磁気板および推杆を含み、
前記凹溝が前記位置決めブロックに開設され、且つその開口が外方を向いており、
前記磁気ブロックが凹溝内に滑動自在に接続され、磁気ブロックと凹溝の内底端の間は第
２圧縮ばねによって固定接続されており、
前記端末接続ユニットおよびホルダーにそれぞれ凹溝に位置合わせるための嵌挿溝が開設
され、該嵌挿溝が断面Ｔ字状の構成とし、前記磁気板が嵌挿溝内の底端に固定され、前記
推杆は嵌挿溝内に挿設され且つ磁気板を貫通しており、磁気ブロックに抵抗して嵌挿溝内
から退出させることができることを特徴とする請求項２に記載の腋窩支持クラッチ。
【請求項８】
端末接続ユニットに位置する前記推杆の長度が端末接続ユニットの厚度より大きく、杖本
体に位置する前記推杆の長度が杖本体の厚度より大きいことを特徴とする請求項７に記載
の腋窩支持クラッチ。
【請求項９】
前記嵌挿溝の両側にそれぞれ限位滑動溝が設けられており、前記限位滑動溝が前記杖本体
および前記端末接続ユニットに開設されており、前記推杆の両端にそれぞれ止めブロック
が固定設置されており、前記止めブロックが前記限位滑動溝内に滑動自在に接続されてお
り、前記止めブロックと前記限位滑動溝の移動嵌合により推杆の移動位置および長度を制
限可能であることによって、推杆の位置決めブロック側の端部が前記嵌挿溝の孔口から突
出しないようにされていることを特徴とする請求項７に記載の腋窩支持クラッチ。
【発明の詳細な説明】
【技術分野】
【０００１】
本発明は、支持クラッチに関し、特に腋窩支持クラッチに関する。
【背景技術】
【０００２】
クラッチは、重要な医療用のリハビリ補助具として、歩行に助力するものである。通常は
木製や金属製棒であり、手杖（T字杖）、肘杖（ロフストランド杖）や腋杖（松葉杖、腋
窩支持クラッチともいう）などがある。手杖は、主に軽度助力の場合、例えば高齢者や山
登りに用いられるが、障害者用品とみなされない。肘杖は、中度の下肢不自由者に向いて
いる。腋杖（腋窩支持クラッチ）は、重度の下肢不自由者（永久障害等）に向いて必要不
可欠ものである。ほとんどの下肢不自由者が一生にわたって腋杖を使う可能性が高い。と
ころで、腋杖は、特にその下側にある防滑機構は、極めて改良すべきである。
【０００３】
ところが、手首怪我で発力できない場合、杖を連れて歩行することはできなく、医療用杖
を使えない。また術後患者の場合、手で握杆を握って杖を持ち上げる（前腕と上腕は直伸
する）には肩筋群発力が必要で、一般人でさえ肩筋群の力が小さい（胸筋、背筋等の大筋
群に比べて）ので、杖持ちの上げ過程では、肩部発力によって手首で持ちあげる方式によ
っては、弱っている術後患者は、なかなか杖を操作できない。さらに、手首で握杆を握る
場合は、握杆が腕力の作用端となり、肩の部位が自由端となる。それで作用端が自由端と
遠くて、作用点において筋力不足に加えてモーメントが大きく、このため、手首で杖を握
る際の難しさが増える。
【発明の概要】
【０００４】
１、解決しようとする技術問題
本発明は、従来技術に存在する問題を解決する腋窩支持クラッチ（松葉杖）を提供する
。
【０００５】
２、技術方案
上記の問題を解決するために、下記の技術方案を提供する。
腋窩支持クラッチは、杖本体を含み、前記杖本体はホルダー、支持杆、握杆および脇あ
てを含み、前記脇あて、ホルダーおよび支持杆が上から順次に固定接続され、前記握杆が
ホルダーの内端に回動可能に接続されており、
前記ホルダーの内側にアームスリーブが設けられ、且つアームスリーブが握杆の上側に
位置され、前記アームスリーブおよび杖本体の間に接続手段が接続され、前記杖本体の両
外側壁に位置決め穴が均一に開設されており、前記アームスリーブの傾斜角度は前記接続
手段と位置決め穴の嵌合によって調節可能であり、前記アームスリーブが取外可能に分体
設置されており、
前記接続手段は端末接続ユニットおよび中部接続ユニットを含み、前記端末接続ユニッ
トの一端が杖本体に接続され、その他端が中部接続ユニットによってアームスリーブの端
末に取外可能に接続されており、前記アームスリーブの中部も他の中部接続ユニットによ
って杖本体に取外可能に接続されている。
【０００６】
好ましくは、前記アームスリーブは筒体、リングおよび一対の位置決めブロックを含み
、前記リングが筒体の外端における中部寄りの位置に外套され、一対の位置決めブロック
がそれぞれ筒体の端末およびリングに固定接続されている。
【０００７】
好ましくは、前記筒体の前端に複数個の放熱穴が設けられている。
【０００８】
好ましくは、前記筒体の端末に複数個の補強リブが固定的にされている。
【０００９】
好ましくは、前記端末接続ユニットは杖本体の側壁に固定接続される一対の第１接続杆
を含み、前記アームスリーブが一対の第１接続杆の間に位置され、且つ第１接続杆が伸縮
可能であり、前記第１接続杆の杖本体と反対側の一端が中部接続ユニットによってアーム
スリーブの端末に取外可能に接続れている。
【００１０】
好ましくは、前記端末接続ユニットは一対の第２接続杆、一対の挿杆、一対のリニア軸
受、第１圧縮ばね、一対の限位柱および外筒を含み、前記挿杆が位置決め穴内に挿設可能
であり、
前記第２接続杆の一端が中部接続ユニットによってアームスリーブの端末に取外可能に
接続され、その他端が挿杆の外端に套接されており、
前記リニア軸受が第２接続杆に取付けられ、且つ前記一対の第２接続杆の間に位置され
ており、前記挿杆がリニア軸受内側に挿設されており、
前記第１圧縮ばねが一対の挿杆の間に固定接続されており、
前記限位柱が挿杆に固定接続され、且つ第１圧縮ばねに近接位置決めされており、
前記外筒が一対の挿杆の外側に套接され、且つ一対のリニア軸受の間に位置され、外筒
の上端に欠け溝が開設され、一対の限位柱がともに欠け溝内に挿設されれている。
【００１１】
好ましくは、前記中部接続ユニットは凹溝、磁気ブロック、第２圧縮ばね、磁気板およ
び推杆を含み、
前記凹溝が位置決めブロックに開設され、且つその開口が外方を向いており、
前記磁気ブロックが凹溝内に滑動自在に接続され、磁気ブロックと凹溝の内底端の間は
第２圧縮ばねによって固定接続されており、
前記端末接続ユニットおよびホルダーにそれぞれ凹溝に位置合わせる嵌挿溝が開設され
、該嵌挿溝が断面Ｔ字状の構成とし、前記磁気板が嵌挿溝内の底端に固定され、前記推杆
は嵌挿溝内に挿設され且つ磁気板を貫通しており、磁気ブロックに抵抗して嵌挿溝内から
退出させることができる。
【００１２】
好ましくは、端末接続ユニットに位置する前記推杆の長度が端末接続ユニットの厚度よ
り大きく、杖本体に位置する前記推杆の長度が杖本体の厚度より大きくされる。
【００１３】
好ましくは、前記嵌挿溝の両側にそれぞれ限位滑動溝が設けられており、前記限位滑動
溝が前記杖本体および前記端末接続ユニットに開設されており、前記推杆の両端にそれぞ
れ止めブロックが固定設置されており、前記止めブロックが前記限位滑動溝内に滑動自在
に接続されており、前記止めブロックと前記限位滑動溝の移動嵌合によって推杆の移動位
置および長度を制限可能であることによって、推杆の位置決めブロック側の端部が前記嵌
挿溝の孔口から突出しないようにされている。
【００１４】
３、発明の効果
本発明の有利な効果は下記の通りである。
１）本発明のクラッチは、手首怪我の場合、中部接続ユニットを杖本体から取外してか
ら、アームスリーブを水平に調整してアームスリーブを中部接続ユニットによって杖本体
に接続する。このようにして、アームスリーブと杖本体が垂直状配置となって、腕をアー
ムスリーブ内に通して、手首を使う必要がなく、腕力で杖本体を持ち上げることにより、
手首の二次怪我を防止する。
２）本発明のクラッチは、手首怪我のない場合、アームスリーブを下向き傾斜状態と調
整してもよく、このときに、腕をアームスリーブ内に通して、握杆を手で握って発力して
、杖を持ち上げればよく、或いはアームスリーブを鉛直状に調整してもよく、このときに
、アームスリーブを使用しなく、脇あてを脇の下に挟んで握杆を握って使用すればよい。
３）本発明のクラッチは、傾斜角度を調整する方式が2種類提供される。１つは、端末
接続ユニットと杖本体とが固定される（それら挟み角が一定とされる）として、中部接続
ユニットを各位置決め穴内へと調整して、相応的に端末接続ユニットが伸縮することによ
り、アームスリーブの傾斜角度を改変させて傾斜角度調整の効果を実現する。もう1つは
、端末接続ユニットと杖本体とが着脱可能に、且つ端末接続ユニットが伸縮不可能で、中
部接続ユニットと杖本体とが着脱可能に、中部接続ユニットの位置が一定とされるとして
、端末接続ユニットを各位置決め穴間内へと位置調整することにより、アームスリーブの
傾斜角度の調整効果を実現する。
４）本発明のクラッチは、アームスリーブの設置によって、前腕発力で持ち上げ、発力
筋群が胸筋補助・肩腕筋群となる。したがって、持ち上げる時に発力がより大きくでき、
使用は更に楽で、術後の弱い患者に適している。
５）本発明のクラッチは、アームスリーブの端末および中部両位置でも中部接続ユニッ
トが配置される。磁気ブロックを嵌挿溝から推出するように推杆を押すことにより、アー
ムスリーブと杖本体および端末接続ユニットとの脱離を実現できる。それによってアーム
スリーブを独立に使用でき、アームスリーブの繰り返し着脱という面倒を回避することが
できる。また、第２圧縮ばねにより磁気ブロックを付勢すること、磁気ブロックと磁気板
間の吸引力によって、接続の安定性および強度に対して安全面の保障を提供することもで
きる。
【図面の簡単な説明】
【００１５】
【図１】本発明の実施例１の構造の斜視図である。
【図２】本発明の筒体における構造斜視図である。
【図３】本発明の実施例１の側面の構成図である。
【図４】本発明の実施例２の構造の斜視図である。
【図５】本発明の実施例２の構造の斜視図である。
【図６】本発明の構成図である。
【００１６】
［符号の説明］
１  杖本体
１１  ホルダー
１２  支持杆
１３  握杆
１４  脇あて
２  アームスリーブ
２１  筒体
２１１  放熱穴
２１２  補強リブ
２２  リング
２３  位置決めブロック
３  端末接続ユニット
３ａ  第１接続杆
３１  第２接続杆
３２  挿杆
３３  リニア軸受
３４  第１圧縮ばね
３５  限位柱
３６  外筒
４  中部接続ユニット
４１  凹溝
４２  磁気ブロック
４３  第２圧縮ばね
４４  磁気板
４５  推杆
４６  嵌挿溝
４７  限位滑動溝
５  位置決め穴
【発明を実施するための形態】
【００１７】
以下、本発明の実施形態における図面を参照して、本発明の実施形態における技術的態様
を明確かつ完全に説明する。明らかに、説明された実施形態は、本発明の一部の実施形態
にすぎない。全ての実施形態ではなく、本発明における実施形態に基づき、当業者が創造
的労働をしないで獲得した他のすべての実施形態は、いずれも本発明の保護範囲に属する
。
【００１８】
実施例1
図１〜６に示すように、腋窩支持クラッチは、杖本体１を含み、前記杖本体１はホルダー
１１、支持杆１２、握杆１３および脇あて１４を含み、前記脇あて１４、ホルダー１１お
よび支持杆１２が上から順次に固定接続され、前記握杆１３がホルダー１１の内端に回動
可能に接続されており、
前記ホルダー１１の内側にアームスリーブ２が設けられ、且つアームスリーブ２が握杆１
３の上側に位置され、前記アームスリーブ２および杖本体１の間に接続手段が接続され、
前記杖本体１の両外側壁に位置決め穴５が均一に開設されており、前記アームスリーブ２
の傾斜角度は前記接続手段と位置決め穴５の嵌合によって調節可能であり、前記アームス
リーブ２が取外可能に分体設置されており、
前記接続手段は端末接続ユニット３および中部接続ユニット４を含み、前記端末接続ユニ
ット３の一端が杖本体１に接続され、その他端が中部接続ユニット４によってアームスリ
ーブ２の端末に取外可能に接続されており、前記アームスリーブ２の中部も他の中部接続
ユニット４によって杖本体１に取外可能に接続されている。
【００１９】
図２に示すように、前記アームスリーブ２は筒体２１、リング２２および一対の位置決め
ブロック２３を含み、前記リング２２が筒体２１の外端における中部寄りの位置に外套さ
れ、一対の位置決めブロック２３がそれぞれ筒体２１の端末およびリング２２に固定接続
されている。
【００２０】
図２に示すように、前記筒体２１の前端に複数個の放熱穴２１１が設けられている。
【００２１】
図２に示すように、前記筒体２１の端末に複数個の補強リブ２１２が固定的にれている。
【００２２】
図１に示すように、前記端末接続ユニット３は杖本体１の側壁に固定接続される一対の第
１接続杆３ａを含み、前記アームスリーブ２が一対の第１接続杆３ａの間に位置され、且
つ第１接続杆３ａが伸縮可能であり、前記第１接続杆３ａの杖本体１と反対側の一端が中
部接続ユニット４によってアームスリーブ２の端末に取外可能に接続れている。
【００２３】
前記中部接続ユニット４は凹溝４１、磁気ブロック４２、第２圧縮ばね４３、磁気板４４
および推杆４５を含み、
前記凹溝４１が位置決めブロック２３に開設され、且つその開口が外方を向いており、
前記磁気ブロック４２が凹溝４１内に滑動自在に接続され、磁気ブロック４２と凹溝４１
の内底端の間は第２圧縮ばね４３によって固定接続されており、
前記端末接続ユニット３およびホルダー１１にそれぞれ凹溝４１に位置合わせる嵌挿溝４
６が開設され、該嵌挿溝４６が断面Ｔ字状の構成とし、前記磁気板４４が嵌挿溝４６内の
底端に固定され、前記推杆４５は嵌挿溝４６内に挿設され且つ磁気板４４を貫通しており
、磁気ブロック４２に抵抗して嵌挿溝４６内から退出させる。
【００２４】
端末接続ユニット３に位置する前記推杆４５の長度が端末接続ユニット３の厚度より大き
く、杖本体１に位置する前記推杆４５の長度が杖本体１の厚度より大きい。
【００２５】
前記嵌挿溝４６の両側にそれぞれ限位滑動溝４７が設けられており、前記限位滑動溝４７
が前記杖本体１および前記端末接続ユニット３に開設されており、前記推杆４５の両端に
それぞれ止めブロックが固定設置されており、前記止めブロックが前記限位滑動溝４７内
に滑動自在に接続されており、前記止めブロックと前記限位滑動溝４７の移動嵌合によっ
て推杆４５の移動位置および長度を制限可能であることによって、推杆４５の位置決めブ
ロック２３側の端部が前記嵌挿溝４６の孔口から突出しないようにされている。
【００２６】
本実施例のクラッチは、第１接続杆３ａと杖本体１が固定されるので、それらの挟み角が
一定となる。アームスリーブ２を取り付けるときに、アームスリーブ２の端末、即ち筒体
２１の端末に位置する位置決めブロック２３が中部接続ユニット４によって第１接続杆３
ａに接続され、アームスリーブ２の中部、即ちリング２２に位置する位置決めブロック２
３が中部接続ユニット４によって杖本体１側面の位置決め穴５内に挿設される。位置決め
穴５の数が1個に止まらず、鉛直的に杖本体１の外壁に配置されるが、リング２２上の位
置決めブロック２３を中部接続ユニット４によって各位置決め穴５内に接続すれば、筒体
２１の傾斜角度を改変できる。その際に、第１接続杆３ａが相応的に伸縮する。中部接続
ユニット４によって位置決めブロック２３と第１接続杆３ａ、および接続位置決めブロッ
ク２３と杖本体１を接続する時に、だいたい位置決めブロック２３と第１接続杆３ａまた
は位置決めブロック２３と杖本体１の対接点を判断して、対接範囲内で探してみて磁気ブ
ロック４２が第２圧縮ばね４３の弾力および磁気板４４の吸力の共同作用で挿溝４６内に
入り込むまで試行すればよい。この時は、推杆４５が磁気ブロック４２によって外部へ推
出される。アームスリーブ２を分体に取り外す時は、端末接続ユニット３側、即ち杖本体
１側へ推杆４５を推すと、図６に示されるように、推杆４５により磁気ブロック４２を押
して第２圧縮ばね４３を圧縮させるようにできて、磁気ブロック４２を嵌挿溝４６から脱
離させる。このようにして、筒体２１を移動させればアームスリーブ２を分体に取り外す
ことができる。アームスリーブ２を着脱することなしに、手部の自由動作が可能であると
いう効果を実現できる。
【００２７】
手首怪我のない場合は、脇あて１４を脇の下に挟んで、支持杆１２を地面にサポートして
、手で握杆１３を握るように使用すればよい。アームスリーブ２は鉛直的に調整されたら
、使用の邪魔をしない。
【００２８】
実施例2
実施例1と異なるのは、図４〜５に示すように、前記端末接続ユニット３は一対の第２接
続杆３１、一対の挿杆３２、一対のリニア軸受３３、第１圧縮ばね３４、一対の限位柱３
５および外筒３６を含み、前記挿杆３２が位置決め穴５内に挿設可能であり、
前記第２接続杆３１の一端が中部接続ユニット４によってアームスリーブ２の端末に取外
可能に接続され、その他端が挿杆３２の外端に套接されており、
前記リニア軸受３３が第２接続杆３１に取付けられ、且つ前記一対の第２接続杆３１の間
に位置されており、前記挿杆３２がリニア軸受３３内側に挿設されており、
前記第１圧縮ばね３４が一対の挿杆３２の間に固定接続されており、
前記限位柱３５が挿杆３２に固定接続され、且つ第１圧縮ばね３４に近接位置決めされて
おり、
前記外筒３６が一対の挿杆３２の外側に套接され、且つ一対のリニア軸受３３の間に位置
され、外筒３６の上端に欠け溝が開設され、一対の限位柱３５がともに欠け溝内に挿設さ
れれている。
【００２９】
本実施例にかかる杖の具体的操作は、下記のものが上記実施例１と異なる。アームスリー
ブ２の中部リング２２における位置決めブロック２３が、実施例１と相同方式で一の位置
決め穴５内（好ましくは最下位置の位置決め穴５）に挿入するとそのままにして、アーム
スリーブ２の端末をも実施例１と相同方式で第２接続杆３１に接続する。本例の杖の端末
接続ユニット３と杖本体１とが固定接続されるし、端末接続ユニット３が伸縮的ではない
ので、内側に一対の限位柱３５を押して、一対の挿杆３２相互を近接させて、そして一対
の挿杆３２をそれぞれ他の同一水平に沿う一対の位置決め穴５に位置合わせる。そして手
を離すと、第１圧縮ばね３４の弾力作用で、一対の挿杆３２が対応の位置決め穴５内に挿
入する。このようにして、アームスリーブ２の傾斜角度を調節することができる。快適に
使用することができる。
【要約】      （修正有）【課題】手首の二次怪我を防止する腋窩支持クラッチを提供する。【解決手段】杖本体１はホルダー１１、支持杆１２、握杆１３および脇あて１４を含み、前記脇あて１４、ホルダー１１および支持杆１２が上から順次に固定接続されている。手首怪我の場合、中部接続ユニット４を杖本体１から取外してから、アームスリーブ２を水平に調整してアームスリーブ２を中部接続ユニット４によって杖本体１に接続する。このようにして、アームスリーブ２と杖本体１が垂直状配置となって、腕をアームスリーブ２内に通して、手首を使う必要がなく、腕力で杖本体を持ち上げることにより、手首の二次怪我を防止する。【選択図】図１【図１】
0006842018.tif 000002
【図２】
0006842018.tif 000003
【図３】
0006842018.tif 000004
【図４】
0006842018.tif 000005
【図５】
0006842018.tif 000006
【図６】
0006842018.tif 000007